(57)【要約】【課題】  交通端末の交換にともなって伝送方式に変更が生じても、交換の必要性を無くすことで、コスト面での無駄を抑え、且つこれまでの伝送方式に縛られることなく交通端末の交換が行える伝送制御装置を提供する。【解決手段】  伝送制御装置２は、選択部１４において専用回線５で接続されている端末付加装置３との間における通信方式を、Ｔ形伝送方式、Ｍ形伝送方式、Ｕ形伝送方式の中から選択することができる。伝送制御装置２は、選択部１４において選択された通信方式で動作する。したがって、交通端末の交換等にともなって、伝送制御装置２と端末付加装置３との間における通信方式が変わっても、選択部１４における選択を変更するだけで対応することができる。【選択図】  図２
2006155504.tif 000002
【特許請求の範囲】
【請求項１】
道路網を構成する道路に設置され、道路網における交通制御、交通監視、または交通案内を行う交通端末と、センタに設置された上位装置と、の間に配置し、前記交通端末と前記上位装置との間におけるデータ通信を制御する伝送制御装置であって、
前記交通端末とシリアル伝送方式でデータ通信を行うシリアル通信手段と、
前記上位装置とパラレル伝送方式でデータ通信を行うパラレル通信手段と、
前記シリアル通信手段と前記パラレル通信手段との間で受け渡すデータに対するシリアルパラレル変換を行うシリアルパラレル変換部と、
前記シリアル通信手段における前記交通端末との通信を、予め定められた３種類以上のシリアル伝送方式の中から選択する選択手段と、を備え、
前記シリアル通信手段は、前記選択手段で選択できるシリアル伝送方式毎に、対応する通信プログラムを記憶した第１の記憶部を有し、前記選択手段により選択されているシリアル伝送方式に応じた通信プログラムを前記第１の記憶部から読み出して実行する手段であり、
前記パラレル通信手段は、前記選択手段で選択できるシリアル伝送方式毎に、対応するフォーマット変換プログラムを記憶した第２の記憶部を有し、前記選択手段により選択されているシリアル伝送方式に応じたフォーマット変換プログラムを前記第２の記憶部から読み出して実行する手段である伝送制御装置。
【請求項２】
前記選択手段は、予め定められた第１〜第３のシリアル伝送方式の中から、いずれかのシリアル伝送方式を選択する手段であり、
前記第１のシリアル伝送方式は、周波数偏位変調方式によるデータ通信であり、
前記第２のシリアル伝送方式は、ＩＴＵ−Ｔ勧告のＶ．２６ｔｅｒに準拠したデータ通信であり、
前記第３のシリアル伝送方式は、ＩＴＵ−Ｔ勧告のＶ．３２に準拠したデータ通信である請求項１に記載の伝送制御装置。
【請求項３】
前記選択手段により選択されているシリアル伝送方式を表示する表示手段を備えた請求項１または２に記載の伝送制御装置。
【請求項４】
前記シリアル通信手段を２つ備えるとともに、シリアル通信手段毎に前記選択手段を備え、
前記パラレル通信手段は、前記２つのシリアル通信手段に対する前記フォーマット変換プログラムをタスクで実行する請求項１〜３のいずれかに記載の伝送制御装置。
【請求項５】
前記選択手段は、選択スイッチの切り替えにより前記シリアル通信手段における前記交通端末との通信を行う伝送方式を選択する手段である請求項１〜４のいずれかに記載の伝送制御装置。
【請求項６】
道路網を構成する道路に設置され、道路網における交通制御、交通監視、または交通案内を行う交通端末と、センタに設置された上位装置と、の間に配置し、前記交通端末と前記上位装置との間におけるデータ通信を制御する伝送制御装置であって、
前記交通端末とシリアル伝送方式でデータ通信を行うシリアル通信手段と、
前記上位装置とパラレル伝送方式でデータ通信を行うパラレル通信手段と、
前記シリアル通信手段と前記パラレル通信手段との間で受け渡すデータに対するシリアルパラレル変換を行うシリアルパラレル変換部と、
前記シリアル通信手段における前記交通端末との通信を、予め定められた周波数偏位変調方式による第１のシリアル伝送方式、ＩＴＵ−Ｔ勧告のＶ．２６ｔｅｒに準拠した第２のシリアル伝送方式、およびＩＴＵ−Ｔ勧告のＶ．３２に準拠した第３のシリアル伝送方式の中から選択する選択手段と、を備え、
前記シリアル通信手段は、２つのシリアル通信部を有し、一方のシリアル通信部が第１のシリアル伝送方式、および第２のシリアル伝送方式毎に対応する通信プログラムを記憶した第１の記憶部を有し、前記選択手段により前記第１のシリアル伝送方式または第２のシリアル伝送方式が選択されているときに、選択されているシリアル伝送方式に応じた通信プログラムを前記第１の記憶部から読み出して実行し、他方のシリアル通信部が前記選択手段により前記３のシリアル伝送方式が選択されているときに、前記第３のシリアル伝送方式に対応する通信プログラムを実行する手段であり、
前記パラレル通信手段は、前記第１〜第３のシリアル伝送方式のそれぞれについて、対応するフォーマット変換プログラムを記憶した第２の記憶部を有し、前記選択手段により選択されているシリアル伝送方式に応じたフォーマット変換プログラムを前記第２の記憶部から読み出して実行する手段であり、
さらに、前記選択手段により選択されている前記交通端末とのシリアル伝送方式が前記第１または第２のシリアル伝送方式であれば前記交通端末を前記一方のシリアル通信部に接続し、選択されている前記交通端末とのシリアル伝送方式が前記第３のシリアル伝送方式であれば前記交通端末を前記他方のシリアル通信部に接続する切り替えを行う切替手段を備えた伝送制御装置。
【発明の詳細な説明】
【技術分野】
【０００１】
この発明は、信号機、車両感知器、案内表示板、自動車両認識装置（ＡＶＩ装置）等の道路に設置した交通端末と、交通管制センタに設置した上位装置と、の間におけるデータ通信を制御する伝送制御装置に関する。
【背景技術】
【０００２】
従来、道路網における交通制御、交通監視、交通案内等は交通管制システムにより行われている。交通管制システムは、交通管制センタ（以下、単にセンタと言う。）に設置した上位装置で、道路網を構成する道路の交差点や主要箇所に設置した信号機、案内表示板、車両感知器、自動車両認識装置（ＡＶＩ（Ａｕｔｏｍａｔｉｃ  Ｖｅｈｉｃｌｅ  Ｉｄｅｎｔｉｆｉｃａｔｉｏｎ）装置）等の交通端末の遠隔制御を行っている。例えば、信号機に対して点灯状態の切り替えにかかる切替指示や、案内表示板に対して渋滞情報、事故情報等の表示にかかる表示指示を行っている。また、車両感知器やＡＶＩ装置が感知した車両の速度や認識した車両のナンバプレートの番号等の監視情報の収集を行っている。上位装置と交通端末との間には、この間におけるデータ通信を制御する伝送制御装置が配置されている。伝送制御装置は、センタに設置され、上位装置との通信をパラレル伝送方式で行い、交通端末との通信をシリアル伝送方式で行う。
【０００３】
交通管制システムでは、道路網を分割した管理エリア単位で管理している。例えば、特許文献１に示されているように、管理エリア内に端末付加装置を設置し、この端末付加装置をキーステーションとしてこの管理エリア内に設置されている交通端末をＬＡＮで接続するとともに、キーステーションとした端末付加装置と伝送装置とを専用回線で接続している。端末付加装置は、上位装置から伝送制御装置を介して送信されてきた交通端末に対する動作指示（上記切替指示や表示指示等）にかかるデータを受信すると、このデータを該当する交通端末に転送する。また、端末付加装置は、ＬＡＮで接続されている交通端末から送信されてきた上位装置への監視情報にかかるデータを受信すると、このデータを専用回線を介して伝送制御装置へ送信する。伝送制御装置は、端末付加装置から送信されてきた監視情報を上位装置へ転送する。
【０００４】
なお、管理エリアの大きさは均一ではなく、また管理エリア内に設置されている交通端末の種類や台数も均一ではない。また、端末付加装置は、多くの場合、管理エリア内に設置されている、いずれかの交通端末の筐体に収納されている。
【０００５】
この特許文献に１に示されているように、道路網を適当大きさで分割した管理エリア毎に端末付加装置を設置することで、管理エリア内に設置されている複数の交通端末の遠隔制御を１回線で行うことができ、道路網における交通制御、交通監視、または交通案内等に必要な専用回線の総数が抑えられる。
【０００６】
現在、伝送制御装置と、端末付加装置と、の間における通信に利用されている主な伝送方式は、警察庁交通局で規格化されている
（１）帯域品目３．４ｋＨｚの専用回線を利用し、ＦＳ変調方式（周波数偏位変調方式）で行うＴ形伝送方式、
（２）帯域品目３．４ｋＨｚの専用回線を利用し、ＩＴＵ−Ｔ勧告のＶ．２６ｔｅｒに準拠し、４相ＤＰＳＫ変調方式（差動位相変調方式）で行うＭ形伝送方式、
（３）帯域品目３．４ｋＨｚの専用回線を利用し、ＩＴＵ−Ｔ勧告のＶ．３２に準拠し、３２ＴＣＭ方式（３２値トレリス・コード変調方式）または４ＱＡＭ方式（４値直交振幅変調方式）によりＬＡＰＢで行うＵ形伝送方式、の３種類である。
【０００７】
Ｔ形伝送方式、Ｍ形伝送方式、およびＵ形伝送方式は、使用する専用回線については同じであるが、伝送速度が異なる。具体的には、Ｔ形伝送方式では上り６００ｂｉｔ／ｓ、下り１００ｂｉｔ／ｓであり、Ｍ形伝送方式では上り、下りともに２４００ｂｉｔ／ｓであり、Ｕ形伝送方式では上り、下りともに９６００ｂｉｔ／ｓ（３２ＴＣＭ方式の場合）、または４８００ｂｉｔ／ｓ（４ＱＡＭ方式の場合）である。
【特許文献１】特許第２７２２１３６号公報
【発明の開示】
【発明が解決しようとする課題】
【０００８】
しかしながら、従来の伝送制御装置は、スイッチ操作でＴ形伝送方式とＭ形伝送方式とを切り替えることができるＴ／Ｍ形対応の伝送制御装置、Ｕ形伝送方式に対応したＵ形対応の伝送制御装置であった。一方、交通管制システムでは、伝送制御装置と端末付加装置との間におけるデータ通信が、Ｔ形伝送方式、Ｍ形伝送方式、およびＵ形伝送方式の３種類の伝送方式のいずれかで行われている。言い換えれば、伝送制御装置と端末付加装置との間におけるデータ通信の伝送方式が統一されていない。このため、管理エリア毎に、専用回線を介して接続する端末付加装置との伝送方式に応じた伝送制御装置を使用しなければならなかった。具体的には、設置されている端末付加装置がＴ形伝送方式、またはＭ形伝送方式である管理エリアについてはＴ／Ｍ形対応の伝送制御装置を使用し、設置されている端末付加装置がＵ形伝送方式である管理エリアについてはＵ形対応の伝送制御装置を使用しなければならなかった。
【０００９】
一方、管理エリアに設置されている交通端末は、交通制御、交通監視、および交通案内が適正に行えない事態になるのを防止するために、古くなった交通端末の交換を行っている。交通端末の交換では、よりよい交通制御、交通監視、交通案内が行えるように、古くなった交通端末と異なる型式の交通端末に交換することがある。型式が異なる交通端末に交換した場合、上位装置とのデータ通信に要求される伝送量が交換前の交通端末よりも大きくなり、これまでの伝送方式では要求される伝送量のデータ通信が行えなくなるときがある。このような場合、交通端末を交換した管理エリアの端末付加装置と、伝送制御装置との間におけるデータ通信の伝送方式を、これまでよりも伝送量の多い伝送方式に変更することになり、その結果、伝送制御装置の交換が生じ、コスト面での無駄が多いという問題があった。例えば、交通端末の交換により、これまでＴ形伝送方式、またはＭ形伝送方式であった管理エリアをＵ形伝送方式に変更するには、この管理エリアの伝送制御装置をＵ形対応のものに交換しなければならない。また、これまで使用していたＴ／Ｍ形対応の伝送制御装置については、多くの場合使用用途がなく、廃棄されている。特に、交通端末を交換する直前（数カ月前）に伝送制御装置が故障した場合には、道路網における交通制御、交通監視、および交通案内を適正に行うために伝送制御装置を交換することから、この交換した伝送制御装置については交通端末を交換するまでの短い期間だけ使用することになり、特にコスト面での無駄が多いという問題があった。
【００１０】
この発明の目的は、交通端末の交換にともなって、該交通端末との通信の伝送方式に変更が生じても、交換の必要性を無くすことで、コスト面での無駄を抑えることができる伝送制御装置を提供することにある。
【課題を解決するための手段】
【００１１】
この発明の伝送制御装置は、上記課題を解決するために以下の構成を備えている。
【００１２】
（１）道路網を構成する道路に設置され、道路網における交通制御、交通監視、または交通案内を行う交通端末と、センタに設置された上位装置と、の間に配置し、前記交通端末と前記上位装置との間におけるデータ通信を制御する伝送制御装置であって、
前記交通端末とシリアル伝送方式でデータ通信を行うシリアル通信手段と、
前記上位装置とパラレル伝送方式でデータ通信を行うパラレル通信手段と、
前記シリアル通信手段と前記パラレル通信手段との間で受け渡すデータに対するシリアルパラレル変換を行うシリアルパラレル変換部と、
前記シリアル通信手段における前記交通端末との通信を、予め定められた３種類以上のシリアル伝送方式の中から選択する選択手段と、を備え、
前記シリアル通信手段は、前記選択手段で選択できるシリアル伝送方式毎に、対応する通信プログラムを記憶した第１の記憶部を有し、前記選択手段により選択されているシリアル伝送方式に応じた通信プログラムを前記第１の記憶部から読み出して実行する手段であり、
前記パラレル通信手段は、前記選択手段で選択できるシリアル伝送方式毎に、対応するフォーマット変換プログラムを記憶した第２の記憶部を有し、前記選択手段により選択されているシリアル伝送方式に応じたフォーマット変換プログラムを前記第２の記憶部から読み出して実行する手段である。
【００１３】
この構成では、パラレル通信手段が上位装置との通信をパラレル伝送方式で行い、シリアル通信手段が交通端末との通信をシリアル伝送方式で行う。また、シリアルパラレル変換手段がシリアル通信手段とパラレル通信手段との間で受け渡すデータに対するシリアルパラレル変換を実行する。さらに、選択手段により、シリアル通信手段における交通端末との通信を、３種類以上のシリアル伝送方式の中から選択することができる。選択できるシリアル伝送方式としては、例えば、警察庁交通局で規格化され、上位装置と交通端末との間における通信の一般的な方式である、帯域品目３．４ｋＨｚの専用回線を使用し、ＦＳ変調方式（周波数偏位変調方式）で行うＴ形伝送方式、帯域品目３．４ｋＨｚの専用回線を使用し、ＩＴＵ−Ｔ勧告のＶ．２６ｔｅｒに準拠し、４相ＤＰＳＫ変調方式（差動位相変調方式）で行うＭ形伝送方式、帯域品目３．４ｋＨｚの専用回線を使用し、ＩＴＵ−Ｔ勧告のＶ．３２に準拠し、３２ＴＣＭ方式（３２値トレリス・コード変調方式）または４ＱＡＭ方式（４値直交振幅変調方式）でＬＡＰ−Ｂの伝送を行うＵ形伝送方式の３種類や、さらには最近規格化され普及し始めているＩＴＵ−Ｔ勧告のＶ．３２に準拠し、３２ＴＣＭ方式（３２値トレリス・コード変調方式）によりＰＰＰ、ＵＤＰ／ＩＰ等の伝送を行うＵＤ形伝送方式を加えた４種類にすればよい。シリアル通信手段は、選択手段により選択されたシリアル伝送方式に応じた通信プログラムを第１の記憶部から読み出し実行することで、選択されたシリアル伝送方式で交通端末と通信する。また、パラレル通信手段は、選択手段により選択されたシリアル伝送方式に応じたフォーマット変換プログラムを第２の記憶部から読み出し実行することで、選択されたシリアル伝送方式に応じたフォーマット変換を行い、上位装置と通信する。
【００１４】
このように、シリアル通信手段およびパラレル通信手段が実行するソフトウェアを切り替えて、上位装置と交通端末との間における通信の伝送方式を切り替える構成としているので、装置本体の大型化を十分に抑えることができる。また、選択可能なシリアル伝送方式を、上位装置と交通端末との間における通信の一般的な伝送方式である、Ｔ形伝送方式、Ｍ形伝送方式、Ｕ形伝送方式の３種類、さらには最近規格化され普及しはじめているＵＤ形伝送方式を加えた４種類にすることで、交通端末の交換にともなって、交通端末との通信の伝送方式に変更が生じても、選択手段における伝送方式の選択を切り替えることで対応できる。したがって、従来のように交通端末の交換にともなって伝送方式に変更が生じても、伝送制御装置の交換が生じることがなく、コスト面における無駄が十分に抑えられる。また、これまでの伝送方式に縛られることなく交通端末の交換が行える。
【００１５】
（２）前記選択手段により選択されているシリアル伝送方式を表示する表示手段を備えている。
【００１６】
この構成では、表示手段が選択手段で選択されている交通端末との間におけるシリアル伝送方式を表示するので、選択されているシリアル伝送方式を簡単に確認することができる。
【００１７】
（３）前記シリアル通信手段を２つ備えるとともに、シリアル通信手段毎に前記選択手段を備え、
前記パラレル通信手段は、前記２つのシリアル通信手段に対する前記フォーマット変換プログラムをタスクで実行する。
【００１８】
この構成では、２回線に対応でき、且つ回線毎に交通端末とのシリアル伝送方式を選択することができるので、交通管制システムの小型化が図れる。
【００１９】
（４）前記選択手段は、選択スイッチの切り替えにより前記シリアル通信手段における前記交通端末との通信を行う伝送方式を選択する手段である。
【００２０】
この構成では、シリアル伝送方式の選択が選択スイッチを切り替えるという簡単な操作で行える。
【００２１】
（５）道路網を構成する道路に設置され、道路網における交通制御、交通監視、または交通案内を行う交通端末と、センタに設置された上位装置と、の間に配置し、前記交通端末と前記上位装置との間におけるデータ通信を制御する伝送制御装置であって、
前記交通端末とシリアル伝送方式でデータ通信を行うシリアル通信手段と、
前記上位装置とパラレル伝送方式でデータ通信を行うパラレル通信手段と、
前記シリアル通信手段と前記パラレル通信手段との間で受け渡すデータに対するシリアルパラレル変換を行うシリアルパラレル変換部と、
前記シリアル通信手段における前記交通端末との通信を、予め定められた周波数偏位変調方式による第１のシリアル伝送方式、ＩＴＵ−Ｔ勧告のＶ．２６ｔｅｒに準拠した第２のシリアル伝送方式、およびＩＴＵ−Ｔ勧告のＶ．３２に準拠した第３のシリアル伝送方式の中から選択する選択手段と、を備え、
前記シリアル通信手段は、２つのシリアル通信部を有し、一方のシリアル通信部が第１のシリアル伝送方式、および第２のシリアル伝送方式毎に対応する通信プログラムを記憶した第１の記憶部を有し、前記選択手段により前記第１のシリアル伝送方式または第２のシリアル伝送方式が選択されているときに、選択されているシリアル伝送方式に応じた通信プログラムを前記第１の記憶部から読み出して実行し、他方のシリアル通信部が前記選択手段により前記３のシリアル伝送方式が選択されているときに、前記第３のシリアル伝送方式に対応する通信プログラムを実行する手段であり、
前記パラレル通信手段は、前記第１〜第３のシリアル伝送方式のそれぞれについて、対応するフォーマット変換プログラムを記憶した第２の記憶部を有し、前記選択手段により選択されているシリアル伝送方式に応じたフォーマット変換プログラムを前記第２の記憶部から読み出して実行する手段であり、
さらに、前記選択手段により選択されている前記交通端末とのシリアル伝送方式が前記第１または第２のシリアル伝送方式であれば前記交通端末を前記一方のシリアル通信部に接続し、選択されている前記交通端末とのシリアル伝送方式が前記第３のシリアル伝送方式であれば前記交通端末を前記他方のシリアル通信部に接続する切り替えを行う切替手段を備えている。
【００２２】
この構成では、シリアル通信手段が２つのシリアル通信部を有し、一方のシリアル通信部が第１の伝送方式であるＴ形伝送、第２の伝送方式であるＭ形伝送の２つの伝送方式の中から選択手段により選択されている伝送方式でデータ通信を行い、他方のシリアル通信部が第３の伝送方式であるＵ形伝送方式でデータ通信を行う。また、切替手段が選択手段により選択されている伝送方式が第１、または第２の伝送方式であれば一方のシリアル通信部を交通端末に接続し、第３の伝送方式が選択されていれば他方のシリアル通信部を交通端末に接続する切り替えを行う。したがって、選択手段により選択した伝送方式（Ｔ形伝送方式、Ｍ形伝送方式、またはＵ形伝送方式）で交通端末とのデータ通信が行える。これにより、上記（１）と同様に、交通端末の交換にともなって伝送方式に変更が生じても、伝送制御装置を交換する必要がなく、コスト面における無駄が十分に抑えられる。また、これまでの伝送方式に縛られることなく交通端末の交換が行える。
【発明の効果】
【００２３】
この発明によれば、交通端末の交換にともなって交通端末との通信の伝送方式に変更が生じても、伝送制御装置を交換する必要がなく、コスト面における無駄が十分に抑えられる。また、これまでの伝送方式に縛られることなく交通端末の交換が行える。
【００２４】
また、シリアル通信手段およびパラレル通信手段が実行するソフトウェアの切り替えて、上位装置と交通端末との間における通信の伝送方式を切り替える構成としているので、装置本体の大型化を十分に抑えることができる。また、選択できる伝送方式を、上位装置と交通端末との間における通信の一般的な伝送方式である、Ｔ形伝送方式、Ｍ形伝送方式、Ｕ形伝送方式の３種類や、さらに最近規格化され普及しているＵＤ形伝送を加えた４種類にすることで、交通端末の交換にともなって、交通端末との通信における伝送方式に変更が生じても、選択手段における伝送方式の選択を切り替えることで対応できる。したがって、従来のように交通端末の交換にともなって伝送方式に変更が生じても、伝送制御装置を交換する必要がなく、コスト面における無駄が十分に抑えられる。また、これまでの伝送方式に縛られることなく交通端末の交換が行える。
【発明を実施するための最良の形態】
【００２５】
以下、この発明の実施形態である伝送制御装置について説明する。
【００２６】
まず、最初にこの発明の実施形態である伝送制御装置が適用される交通管制システムについて簡単に説明する。交通管制システムとは、交通管制センタ（以下、単にセンタと言う。）に設置した上位装置において、道路網を構成する道路の交差点や主要箇所に設置した信号機、案内表示板、車両感知器、自動車両認識装置（ＡＶＩ（Ａｕｔｏｍａｔｉｃ
Ｖｅｈｉｃｌｅ  Ｉｄｅｎｔｉｆｉｃａｔｉｏｎ）装置）等の交通端末の遠隔制御や、交通端末からの情報収集を行うことで、道路網における交通制御、交通監視、交通案内等を行うシステムである。上位装置では、図１に示すように道路網を分割した管理エリア毎に、その管理エリア内に設置されている交通端末を管理している。各管理エリアの大きさは均一ではなく、また管理エリア内に設置されている交通端末の種類や台数も均一ではない。
【００２７】
図２は、交通管制システムの概略の構成を示す図である。センタには、上位装置１および複数の伝送制御装置２（２ａ、２ｂ）が設置されている。また、管理エリア毎に、端末付加装置３および１台または複数台の交通端末４が設置されている。端末付加装置３は、管理エリア内に設置されている、いずれかの交通端末４の筐体に収納されている。上位装置１と伝送制御装置２とは、パラレルラインで接続されており、この間のデータ通信はパラレル伝送方式で行われる。
【００２８】
また、伝送制御装置２と端末付加装置３とは専用回線５で接続されており、この間の通信はシリアル伝送方式で行われる。伝送制御装置２は、１回線対応のものと２回線対応のものがあり、１回線対応の伝送制御装置２ａは、いずれか１つの管理エリアに設置されている端末付加装置３に接続されている（１対１で接続されている。）。２回線対応の伝送制御装置２ｂは、いずれか２つの管理エリアに設置されている端末付加装置３に接続されている（１対２で接続されている。）。各管理エリアでは、管理エリア内に設置されている交通端末４が、その管理エリアに設置されている端末付加装置３をキーステーションとしたＬＡＮに接続されている。特に図では示していないが、このＬＡＮは複数のパスを持ち、パス毎に無線インタフェース装置を設けて無線で接続する構成や、有線で接続する構成の選択が行える。各交通端末４は、いずれかのパスに無線または有線で接続されている。
【００２９】
上位装置１から交通端末４への動作指示にかかるデータ（以下、指示データと言う。）の送信について簡単に説明する。上位装置１は、動作指示にかかる指示データを伝送制御装置２に所定のフォーマットで送信する。伝送制御装置２は、交通端末４に対する動作指示にかかる指示データが上位装置１から送信されてくると、この指示データのフォーマット変換、シリアルパラレル変換（以下、シリパラ変換と言う。）、変調処理等を行う。フォーマット変換は、この指示データを伝送制御装置２と端末付加装置３との間での通信の伝送方式によるフォーマットに変換する処理である。シリパラ変換は、フォーマット変換されたパラレルデータをシリアルデータに変換する処理である。変調処理は、このシリアルデータを専用回線５を介して端末付加装置３へ送信する変調信号を生成する処理である。伝送制御装置２は、生成した変調信号を専用回線５を介して端末付加装置３へ送信する。端末付加装置３は、専用回線５を介して送信されてきた変調信号を復調し、上位装置１からの指示データを抽出する復調処理を行う。端末付加装置３は、復調処理で抽出した指示データを、該当する交通端末４に送信する。交通端末４は、この指示データに基づいて動作する。
【００３０】
また、交通端末４から上位装置１への監視情報にかかるデータ（以下、監視データと言う。）の送信は、交通端末４がＬＡＮを介して端末付加装置３に監視データを送信する。端末付加装置３が、この監視データを伝送制御装置２に送信する変調信号を生成する変調処理を行い、生成した変調信号を専用回線５を介して伝送制御装置２に送信する。伝送制御装置２は、端末付加装置３から送信されてきた変調信号を復調し、交通端末４から送られてきた監視データを抽出する。ここで抽出する監視データはシリアルデータであり、そのフォーマットは伝送制御装置２と端末付加装置３との間における通信の伝送方式によるものである。伝送制御装置２は、抽出したシリアルデータをパラレルデータに変換し、このパラレルデータのフォーマットを上位装置１との通信方式による所定のフォーマットに変換する。伝送制御装置２は、パラレルデータに変換した監視データを上位装置１へ送信する。上位装置１は、監視データを用いて、道路網における渋滞等の交通監視を行う。
【００３１】
交通管制システムでは、伝送制御装置２および端末付加装置３により、上位装置１と交通端末４との間におけるデータ通信を制御している。ここで、伝送制御装置２と端末付加装置３との間における専用回線５を介したデータ通信について説明する。伝送制御装置２と端末付加装置３との間におけるデータ通信の伝送方式は、主に警察庁交通局で規格化されているＴ形伝送方式、Ｍ形伝送方式、またはＵ形伝送方式のいずれかで行われており、管理エリア毎に決められている。Ｔ形伝送方式は、変調方式が周波数偏位変調（ＦＳ変調）であり、伝送速度が上り６００ｂｉｔ／ｓ、下り１００ｂｉｔ／ｓである。Ｍ形伝送方式は、ＩＴＵ−Ｔ勧告のＶ．２６ｔｅｒに準拠し、変調方式が４相ＤＰＳＫ変調方式（差動位相変調方式）であり、伝送速度が上り、下りともに２４００ｂｉｔ／ｓである。Ｕ形伝送方式は、ＩＴＵ−Ｔ勧告のＶ．３２に準拠し、変調方式が３２ＴＣＭ方式（３２値トレリス・コード変調方式）または４ＱＡＭ方式（４値直交振幅変調方式）であり、上り、下りともに９６００ｂｉｔ／ｓ（３２ＴＣＭ方式の場合）、または４８００ｂｉｔ／ｓ（４ＱＡＭ方式の場合）である。Ｔ形伝送方式、Ｍ形伝送方式、およびＵ形伝送方式は、いずれも帯域品目３．４ｋＨｚ、２線式相当の回線を専用回線５として使用する２線式全２重通信である。伝送制御装置２と、端末付加装置３との間におけるデータ通信は、この端末付加装置３が設置されている管理エリア内に設置されている交通端末４の適正な監視、制御を行うのに必要な伝送量（上位装置１との伝送量）を満足する方式に決定している。
【００３２】
なお、Ｔ形伝送方式、Ｍ形伝送方式、およびＵ形伝送方式におけるフォーマット等の規格の詳細については、社団法人  新交通管理システム協会（ＵＴＭＳ協会）から発行されている規格書に記載されているので、ここでは説明を省略する。
【００３３】
次に、この発明の実施形態である伝送制御装置２について詳細に説明する。まず。１回線対応の伝送制御装置２ａについて説明する。この実施形態の伝送制御装置２ａは、端末付加装置３とのデータ通信の伝送方式を、Ｔ形伝送方式、Ｍ形伝送方式、およびＵ形伝送方式の３種類の伝送方式の中から選択できる構成である。図３は、この発明の実施形態である１回線対応の伝送制御装置の構成を示す図である。この実施形態の伝送制御装置２ａは、上位装置１とのデータ通信を実行するパラレル通信部１１と、専用線５を介して接続されている端末付加装置３とのデータ通信を実行するシリアル通信部１２と、パラレル通信部１１とシリアル通信部１２との間で受け渡すデータに対するシリアルパラレル変換を実行するシリパラ変換部１３と、シリアル通信部１２における端末付加装置３とのデータ通信の方式（シリアル伝送方式）を選択する選択部１４と、シリアル通信部１２に対して選択されている端末付加装置３とのデータ通信の伝送方式を表示する表示部１５と、を備えている。この実施形態の伝送制御装置２ａは、選択部１４に設けられた選択スイッチ（不図示）の切り替えにより、専用回線５を介した端末付加装置３とのデータ通信を、Ｔ形伝送方式、Ｍ形伝送方式、およびＵ形伝送方式の３つの中から選択できる。選択部１４に設けられている選択スイッチは、例えば３接点式のスライドスイッチであり、伝送制御装置２ａは選択スイッチの導通している接点に応じて、端末付加装置３とのデータ通信をＴ形伝送方式、Ｍ形伝送方式、またはＵ形伝送方式で行う。また、表示部１５には、Ｔ形伝送方式、Ｍ形伝送方式、およびＵ形伝送方式のそれぞれに対してランプが設けられている。表示部１５は選択部１４において選択されている伝送方式に応じたランプを点灯する。Ｔ形伝送方式、Ｍ形伝送方式、Ｕ形伝送方式に対応するランプの色は異ならせてもよいし、同じであってもよい。
【００３４】
パラレル通信部１１は、上位装置１との接続を制御する上位インタフェース２１と、ＣＰＵを有し本体を制御するとともに、選択部１４において選択されている伝送方式に応じたフォーマット変換等にかかる処理を行う変換処理部２２と、を有している。上位インタフェース２１は、上位装置１から送信されてきた交通端末４に対する動作指示にかかる指示データや、交通端末４から上位装置１へ送信されてきた監視情報にかかる監視データ等、上位装置１との間で受け渡すデータを一時的に記憶するメモリを有している。変換処理部２２は、上位装置１とのデータ通信におけるフォーマットとＴ形伝送方式におけるフォーマットとの相互変換にかかる第１のフォーマット変換プログラム、上位装置１とのデータ通信におけるフォーマットとＭ形伝送方式におけるフォーマットとの相互変換にかかる第２のフォーマット変換プログラム、および上位装置１とのデータ通信におけるフォーマットとＵ形伝送方式におけるフォーマットとの相互変換にかかる第３のフォーマット変換プログラムを記憶させた記憶部（例えば、フラッシュＲＯＭ）を有している。変換処理部２２は、選択部１４の選択スイッチの状態を検出することで、選択部１４において選択されている端末付加装置３とのデータ通信の伝送方式を判断し、該当する伝送方式のフォーマット変換プログラムを読み出して実行する。具体的には、選択部１４において選択されている端末付加装置３との間におけるデータ通信の伝送方式がＴ形伝送方式であれば第１のフォーマット変換プログラムを読み出し、選択部１４において選択されている端末付加装置３との間におけるデータ通信の伝送方式がＭ形伝送方式であれば第２のフォーマット変換プログラムを読み出し、選択部１４において選択されている端末付加装置３との間におけるデータ通信の伝送方式がＵ形伝送方式であれば第３のフォーマット変換プログラムを読み出す。また、表示部１５に対して選択されているデータ通信の伝送方式に応じたランプの点灯を指示する。
【００３５】
また、シリアル通信部１２は、Ｔ形伝送方式に応じた第１の通信プログラム、Ｍ形伝送方式に応じた第２の通信プログラム、およびＵ形伝送方式に応じた第３の通信プログラムを記憶した記憶部３１と、選択部１４において選択されているデータ通信の伝送方式に応じた通信プログラムを記憶部３１から読み出して実行するＤＳＰ３２と、端末付加装置３との接続を制御する回線インタフェース３３と、を有している。ＤＳＰ３２は、端末付加装置３との通信にかかる変調処理、および復調処理を行う。シリアル通信部１２では、選択部１４の選択スイッチの状態で、ＤＳＰ３２が読み出す記憶部３１の記憶領域がハード的に変化するように構成している。具体的には、ＤＳＰ３２は、記憶部３１の所定の記憶領域に記憶している通信プログラムを読み出す。一方、選択部１４の選択スイッチの状態に応じて、ＤＳＰ３２と記憶部３１とを接続しているアドレスバスのバスラインの何本かが０になるようにハード的に構成している。ハード的に０にするアドレスバスのバスラインは選択スイッチの状態毎に異なる。このため、選択部１４の選択スイッチの状態に応じて、実際にＤＳＰ３２が読み出す記憶部３１の記憶領域が変化する。選択部１４においてＴ形伝送方式が選択されている場合にＤＳＰ３２が読み出す記憶部３１の記憶領域には第１の通信プログラムが記憶されており、選択部１４においてＭ形伝送方式が選択されている場合にＤＳＰ３２が読み出す記憶部３１の記憶領域には第２の通信プログラムが記憶されており、選択部１４においてＵ形伝送方式が選択されている場合にＤＳＰ３２が読み出す記憶部３１の記憶領域には第３の通信プログラムが記憶されている。したがって、ＤＳＰ３２は，選択部１４において選択されている端末付加装置３との伝送方式に応じた通信プログラムを記憶部３１から読み出す。
【００３６】
なお、選択部１４の選択スイッチのいずれか１つの状態については、アドレスバスのバスラインをハード的に０にしない構成としてもよい。
【００３７】
シリパラ変換部１３は、変換処理部２２で変換された交通端末４に対する動作指示にかかる指示データをシリアルデータに変換する処理、およびパラレル通信部１２から渡された交通端末４からの監視情報にかかる監視データをパラレルデータに変換する処理を行う。
【００３８】
次に、この実施形態の伝送制御装置２ａの動作について説明する。伝送制御装置２ａは、起動時に、変換処理部２２が選択部１４において選択されている端末付加装置３とのデータ通信の伝送方式がＴ形伝送方式、Ｍ形伝送方式、またはＵ形伝送方式のいずれであるかを判断し、ここで判断した伝送方式に応じたフォーマット変換プログラムを図示していない記憶部から読み出して実行する。また、上述したように、ＤＳＰ３２が記憶部３１から通信プログラムを読み出す領域を、選択部１４の選択スイッチの状態に応じて変化するように構成しているので、ＤＳＰ３２は選択部１４において選択されている端末付加装置３との伝送方式に応じた通信プログラムを記憶部３１から読み出して実行する。
【００３９】
したがって、変換処理部２２は選択部１４において選択されている伝送方式（Ｔ形伝送方式、Ｍ形伝送方式、またはＵ形伝送方式）に応じたフォーマット変換プログラムで動作し、ＤＳＰ３２は選択部１４において選択されている伝送方式（Ｔ形伝送方式、Ｍ形伝送方式、またはＵ形伝送方式）に応じた通信プログラムで動作する。言い換えれば、伝送制御装置２ａは選択部１４において選択されている端末付加装置３との伝送方式（Ｔ形伝送方式、Ｍ形伝送方式、またはＵ形伝送方式）に応じて動作する。さらに言い換えれば、伝送制御装置２ａは端末付加装置３との伝送方式を選択部１４において切り替えることができる。
【００４０】
ここで、伝送制御装置２ａにおける上位装置１からの指示データを交通端末４へ送信するときの動作について説明する。図４は、この動作を示すフローチャートである。伝送制御装置２ａは、パラレルラインで接続されている上位装置１から、専用回線５を介して接続されている端末付加装置３が設置されている管理領域の交通端末４に対する指示データを上位インタフェース２１で受け付けたときにこの処理を実行する。伝送制御装置２ａは、上位装置１からの交通端末４に対する指示データを上位インタフェース２１で受け付ける。上位装置１からの指示データは、パラレルデータであり、またこの指示データは上位装置１との通信方式に基づく所定のフォーマットである。伝送制御装置２ａは、変換処理部２２において起動時に読み出したフォーマット変換プログラムにより上位装置１から送信されてきた交通端末４に対する動作指示にかかるデータのフォーマット変換を行う（ｓ１）。上述したように、変換処理部２２は、選択部１４において選択されている伝送方式に応じたフォーマット変換プログラムを読み出しているので、上位装置１からの交通端末４に対する動作指示にかかる指示データを選択部１４において選択されている伝送方式に応じたフォーマットに変換することができる。選択部１４では、専用回線５を介して接続されている端末付加装置３に応じて伝送方式が選択されている。
【００４１】
伝送制御装置２ａは、ｓ１でフォーマット変換を行うと、フォーマット変換した指示データをシリパラ変換部１３においてシリアルデータに変換し（ｓ２）、変換したシリアルデータをシリアル通信部１２のＤＳＰ３２に渡す。ＤＳＰ３２は、起動時に読み出している通信プログラムによりシリパラ変換部２３から渡されたシリアルデータを送信する変調信号を生成する変調処理を行う（ｓ３）。上述したようにＤＳＰ３２は、起動時に選択部１４において選択されている伝送方式に応じた通信プログラムを読み出しているので、選択部１４において選択されている伝送方式に応じた変調信号、すなわち専用回線５を介して接続されている端末付加装置３とのデータ通信に応じた変調信号、を生成することができる。ＤＳＰ３２で生成した変調信号を回線インタフェース３３から専用回線５を介して端末付加装置３に送信する（ｓ４）。
【００４２】
したがって、端末付加装置３が、Ｔ形伝送方式に対応しているものであれば選択部１４においてＴ形伝送方式を選択することで、この間のデータ通信を適正に行うことができる。同様に、端末付加装置３が、Ｍ形伝送方式に対応しているものであれば選択部１４においてＭ形伝送方式を選択することで、この間のデータ通信を適正に行うことができ、端末付加装置３が、Ｕ形伝送方式に対応しているものであれば選択部１４においてＵ形伝送方式を選択することで、この間のデータ通信を適正に行うことができる。
【００４３】
なお、端末付加装置３は、専用回線５を介して送信されてきた交通端末４に対する上位装置１からの指示データを受信すると、この指示データを与える交通端末４が接続されているパスを判断し、該当する交通端末４にこの指示データを送信する。交通端末４は、ＬＡＮを介して送信されてきた指示データに基づいて動作する。
【００４４】
次に、交通端末４から上位装置１への情報の送信時における伝送制御装置２ａの動作について説明する。図５は、交通端末から上位装置への監視データの送信時における伝送制御装置の動作を示すフローチャートである。交通端末４はＬＡＮを介して上位装置１へ送信する監視情報にかかる監視データを端末付加装置３へ送信する。端末付加装置３は、交通端末４から上位装置１へ送信する監視情報にかかる監視データを受信すると、この監視データを本体が対応している伝送方式（Ｔ形伝送方式、Ｍ形伝送方式、またはＵ形伝送方式）に応じたフォーマットで専用回線５を介して伝送制御装置２に送信する。
【００４５】
伝送制御装置２は、端末付加装置３から送信されてきた変調信号を回線インタフェース３３を介してＤＳＰ３２に取り込み、ＤＳＰ３２において復調処理を行う（ｓ１１）。ＤＳＰ３２は、起動時に記憶部３１から読み出している通信プログラムによりｓ１１にかかる復調処理を行う。上述したようにＤＳＰ３２は、起動時に選択部１４において選択されている伝送方式に応じたフォーマット変換プログラムを読み出しているので、選択部１４において選択されている伝送方式に応じた復調処理、すなわち専用回線５を介して接続されている端末付加装置３に応じた復調処理、が行える。ＤＳＰ３２は交通端末４から送信されてきた監視データにかかるシリアルデータを復調信号から抽出し（ｓ１２）、ここで抽出したシリアルデータをシリパラ変換部１３に渡す。シリパラ変換部１３は、ＤＳＰ３２から渡されたシリアルデータをパラレルデータに変換し（ｓ１３）、変換処理部２２に渡す。変換処理部２２は、シリパラ変換部１３から渡されたパラレルデータのフォーマットを起動時に読み取っているフォーマット変換プログラムで変換し（ｓ１４）、上位インタフェース２１を介して上位装置１へ送信する（ｓ１５）。上述したように、変換処理部２２は、選択部１４において選択されている伝送方式に応じたフォーマット変換プログラムを読み出しているので、シリパラ変換部１３から渡されたパラレルデータを上位装置１に対する所定のフォーマットのパラレルデータに変換することができる。
【００４６】
このように、この実施形態の伝送制御装置２ａは、端末付加装置３がＴ形伝送方式に対応してる場合には、選択部１４においてＴ形伝送方式を選択することで上位装置１と交通端末４との間におけるデータ通信を制御することができ、また、端末付加装置３がＭ形伝送方式に対応してる場合には、選択部１４においてＭ形伝送方式を選択することで上位装置１と交通端末４との間におけるデータ通信を制御することができ、さらに端末付加装置３がＵ形伝送方式に対応してる場合には、選択部１４においてＵ形伝送方式を選択することで上位装置１と交通端末４との間におけるデータ通信を制御することができる。したがって、交通端末４の交換により、端末付加装置３との間における専用回線５を介したデータ通信野伝送方式が、Ｔ形伝送方式、Ｍ形伝送方式、Ｕ形伝送方式の間で変化しても、選択部１４で伝送方式の選択を切り替える操作を行うだけで対応できる。これにより、交通端末４の交換にともなって伝送制御装置２が廃棄されるという事態が生じることがなく、コスト面における無駄を十分に抑えることができる。また、端末付加装置３との間における専用回線５を介したデータ通信の伝送方式をソフトウェアの切り替えで行うので、伝送制御装置本体の大型化も十分に抑えることができる。
【００４７】
さらに、選択部１４において選択されている伝送方式を表示部１５で表示する構成としているので、選択部１５において選択されている伝送方式を簡単に確認することができ、伝送方式の選択ミスを防止することができる。
【００４８】
次に、２回線対応の伝送制御装置２ｂについて説明する。この２回線対応の伝送制御装置２ｂも端末付加装置３とのデータ通信の伝送方式を、Ｔ形伝送方式、Ｍ形伝送方式、およびＵ形伝送方式の３種類の伝送方式の中から選択できる構成である。図６は、２回線対応の伝送制御装置の構成を示すブロック図である。上述した１回線対応の伝送制御装置２ａと異なる点は、シリアル通信部１２（１２ａ、１２ｂ）を２つ備え、シリアル通信部１２毎に選択部１４（１４ａ、１４ｂ）、および表示部１５（１５ａ、１５ｂ）を有している点である。各シリアル通信部１２ａ、１２ｂは上記実施形態で説明したシリアル通信部１２と同じ構成である。この２回線対応の伝送制御装置２ｂは、シリアル通信部１２ａ、１２ｂ毎に端末付加装置３との間における専用回線５を介したデータ通信の伝送方式を個別に選択することができる。具体的には、シリアル通信部１２ａのＤＳＰ３２ａは選択部１４ａにおいて選択されている伝送方式に応じた通信プログラムを記憶部３１ａから読み出し、シリアル通信部１２ｂのＤＳＰ３２ｂは選択部１４ｂにおいて選択されている伝送方式に応じた通信プログラムを記憶部３１ｂから読み出す。したがって、２つのシリアル通信部１２ａ、１２ｂにおける端末付加装置３とのデータ通信の伝送方式を同じ伝送方式とすることもできるし、異なる伝送方式とすることもできる。また、２つのシリアル通信部１２ａ、１２ｂは、シリパラ変換部１３に並列に接続されている。表示部１５ａは選択部１４ａにおいて選択されているシリアル通信部１２ａに対する伝送方式を表示し、表示部１５ｂは選択部１４ｂにおいて選択されているシリアル通信部１２ｂに対する伝送方式を表示する。
【００４９】
また、パラレル通信部１１の変換処理部２２は、２つのシリアル通信部１２ａ、１２ｂに対する処理にかかるフォーマット変換プログラムをタスクで実行する。
【００５０】
次に、この２回線対応の伝送制御装置２ｂの動作について説明する。まず、上位装置１から交通端末４に対する動作指示にかかるデータの送信時における動作を説明する。図７は、この動作を説明するフローチャートである。２つのシリアル通信部１２ａ、１２ｂは、それぞれ選択部１４ａ、１４ｂで選択されている、伝送方式に応じた通信プログラムを起動時にＤＳＰ３２に読み出している。また、変換処理部２２は２つのシリアル通信部１２ａ、１２ｂに対して選択されている伝送方式に応じたフォーマット変換プログラムを起動時に読み出している。２つのシリアル通信部１２ａ、１２ｂに対して選択されている伝送方式が同じであれば、読み出しているフォーマット変換プログラムは１つであり、異なる場合には２つである。
【００５１】
伝送制御装置２ａは、パラレルラインで接続されている上位装置１から、専用回線５を介して接続されている端末付加装置３が設置されている管理領域の交通端末４に対する指示データを受け付けたときにこの処理を実行する。伝送制御装置２ｂは、上位装置１からの交通端末４に対する指示データを上位インタフェース２１で受け付ける。上位装置１からの指示データは、パラレルデータである。伝送制御装置２ｂは、上位インタフェース２１で受け付けた上位装置１からの交通端末４に対する指示データが、どちらのシリアル通信部１２ａ、１２ｂに接続されている端末付加装置３に送信する指示データであるか判定する（ｓ２１）。変換処理部２２は、ｓ２１で判定した側のシリアル通信部１２ａ（または１２ｂ）に対して起動時に読み出しているフォーマット変換プログラムにより上位装置１から送信されてきた交通端末４に対する動作指示にかかるデータのフォーマット変換を行う（ｓ２２）。上述したように、変換処理部２２は、選択部１４ａ、１４ｂにおいて選択されている伝送方式に応じたフォーマット変換プログラムを読み出しているので、上位装置１からの交通端末４に対する動作指示にかかる指示データを選択部１４ａ（または１４ｂ）において選択されている伝送方式に応じたフォーマットに変換することができる。選択部１４ａ、１４ｂでは、それぞれ専用回線５を介して接続されている端末付加装置３に応じて伝送方式を選択している。
【００５２】
伝送制御装置２ｂは、ｓ２２でフォーマット変換を行うと、フォーマット変換した動作指示にかかるデータをシリパラ変換部１３においてシリアルデータに変換し（ｓ２３）、変換したシリアルデータをｓ２１で判定した側のシリアル通信部１２ａ（または１２ｂ）のＤＳＰ３２に渡す。ＤＳＰ３２は、起動時に読み出している通信プログラムによりシリパラ変換部２３から渡されたシリアルデータを送信する変調信号を生成する変調処理を行う（ｓ２４）。シリアル通信部１２ａ（または１２ｂ）のＤＳＰ３２は、起動時に選択部１４ａ（または１４ｂ）において選択されている伝送方式に応じた通信プログラムを読み出しているので、選択部１４ａ（または１４ｂ）において選択されている伝送方式に応じた変調信号、すなわち専用回線５を介して接続されている端末付加装置３に応じた変調信号、を生成することができる。ＤＳＰ３２で生成された変調信号は回線インタフェース３３から専用回線５を介して端末付加装置３に送信される（ｓ２５）。
【００５３】
次に、交通端末４から上位装置１への監視情報にかかる監視データの送信について説明する。伝送制御装置２ｂのシリアル通信部１２ａ（または１２ｂ）は、端末付加装置３から送信されてきた信号を回線インタフェース３３を介してＤＳＰ３２に取り込み、ＤＳＰ３２において復調する（ｓ３１）。ＤＳＰ３２は、起動時に記憶部３１から読み出している通信プログラムによりｓ３１にかかる復調処理を行う。上述したようにＤＳＰ３２は、起動時に選択部１４において選択されている伝送方式に応じた通信プログラムを読み出しているので、選択部１４において選択されている伝送方式に応じた復調、すなわち専用回線５を介して接続されている端末付加装置３に応じた復調、が行える。ＤＳＰ３２は交通端末４から送信されてきた監視情報にかかるシリアルデータを復調信号から抽出する（ｓ３２）。ＤＳＰ３２は、他方のシリアル通信部１２ｂ（または１２ａ）が交通端末４からの監視データにかかるシリアルデータをシリパラ変換部１３に受け渡している最中であるかどうかを判定し（ｓ３３）、受け渡している最中であれば、この他方のシリアル通信部１２ｂ（または１２ａ）の処理が完了するのを待つ（ｓ３４）。
【００５４】
ＤＳＰ３２は、ｓ３３でシリパラ変換部１３が他方のシリアル通信部１２ｂ（または１２ａ）との受け渡し中でない、またはｓ３４で他方のシリアル通信部１２ｂ（または１２ａ）との受け渡しが完了したと判定すると、ｓ３２で抽出したシリアルデータをシリパラ変換部１３に渡す（ｓ３５）。シリパラ変換部１３は、ＤＳＰ３２から渡されたシリアルデータをパラレルデータに変換するシリパラ変換を行い（ｓ３６）、変換したパラレルデータを変換処理部２２に渡す。変換処理部２２は、今回シリパラ変換部１３から渡されたパラレルデータがどちらのシリアル通信部１２ａ（または１２ｂ）に送信されてきたデータであるかを判定する（ｓ３７）。変換処理部２２は、ｓ３５で判定した側のシリアル通信部１２ａ（または１２ｂ）に対して起動時に読み出しているフォーマット変換プログラムを実行し、今回受け取ったパラレルデータのフォーマットを変換する（ｓ３８）。そして、上位インタフェース２１を介してｓ３８で変換したパラレルデータを上位装置１へ送信する（ｓ３９）。上述したように、変換処理部２２は、選択部１４ａ、１４ｂにおいて選択されている伝送方式に応じたフォーマット変換プログラムをそれぞれ読み出しているので、シリパラ変換部１３から渡されたパラレルデータを上位装置１に対する所定のフォーマットのパラレルデータに変換することができる。
【００５５】
このように、この伝送制御装置２ｂは、パラレル変換部１１が２つのシリアル変換部１２ａ、１２ｂに対する処理をタスクで実行し、２回線に対応する構成としたので、交通管制システムのコストダウンが図れる。２回線対応の伝送制御装置２ａのコストを、１回線対応の伝送制御装置２枚分よりも安価にできる。
【００５６】
また、上記実施形態ではＴ形伝送方式、Ｍ形伝送方式、およびＵ形伝送方式の３種類の伝送方式の中から、いずれかの通信方式が選択できる伝送制御装置を例に本願発明を説明したが、最近規格化され、普及しはじめているＵＤ形伝送方式を加えた４種類の伝送方式の中から、いずれかの伝送方式を選択できる構成としてもよい。ＵＤ形伝送方式も使用する回線は、Ｔ形伝送方式、Ｍ形伝送方式、Ｕ形伝送方式と同様に帯域品目３．４ｋＨｚ、２線式相当の回線である。ＵＤ形伝送方式は、ＩＴＵ−Ｔ勧告のＶ．３２に準拠し、３２ＴＣＭ方式（３２値トレリス・コード変調方式）によりＰＰＰ、ＵＤＰ／ＩＰ等で伝送を行う方式である。
【００５７】
Ｔ形伝送方式、Ｍ形伝送方式、Ｕ形伝送方式、およびＵＤ形伝送方式の４種類の伝送方式の中からいずれかの伝送方式を選択することができる１回線対応の伝送制御装置２ａは図３に示す構成であり、２回線対応の伝送制御装置２ｂは図６に示す構成である。ここでは、１回線対応を例にして説明する。以下の説明では、上述したＴ形伝送方式、Ｍ形伝送方式、およびＵ形伝送方式の３種類の伝送方式からいずれかの伝送方式を選択することができる１回線対応の伝送制御装置２ａとの相違点を重点的に説明する。
【００５８】
変換処理部２２の記憶部には、上位装置１とのデータ通信におけるフォーマットとＴ形伝送方式におけるフォーマットとの相互変換にかかる第１のフォーマット変換プログラム、上位装置１とのデータ通信におけるフォーマットとＭ形伝送方式におけるフォーマットとの相互変換にかかる第２のフォーマット変換プログラム、上位装置１とのデータ通信におけるフォーマットとＵ形伝送方式におけるフォーマットとの相互変換にかかる第３のフォーマット変換プログラムに、加えて上位装置１とのデータ通信におけるフォーマットとＵＤ形伝送方式におけるフォーマットとの相互変換にかかる第４のフォーマット変換プログラムが記憶されている。また、シリアル通信部１２の記憶部３１には、Ｔ形伝送方式に応じた第１の通信プログラム、Ｍ形伝送方式に応じた第２の通信プログラム、Ｕ形伝送方式に応じた第３の通信プログラムに加えてＵＤ形伝送方式に応じた第４の通信プログラムが記憶されている。選択部１４には、例えば４接点式のスライドスイッチが選択スイッチとして設けられており、伝送制御装置２は選択スイッチの導通している接点に応じて、端末付加装置３とのデータ通信の伝送方式をＴ形伝送方式、Ｍ形伝送方式、Ｕ形伝送方式、またはＵＤ形伝送方式で行う。さらに、表示部１５には、Ｔ形伝送方式、Ｍ形伝送方式、Ｕ形伝送方式、およびＵＤ形伝送方式のそれぞれに対してランプが設けられている。表示部１５は選択部１４において選択されている伝送方式に応じたランプを点灯する。Ｔ形伝送方式、Ｍ形伝送方式、Ｕ形伝送方式、ＵＤ形伝送方式に対応するランプの色は異ならせてもよいし、同じであってもよい。
【００５９】
この実施形態の伝送制御装置２ａは、シリアル通信部１２のＤＳＰ３２が選択部１４で選択されている伝送方式に応じた通信プログラムを記憶部３１から読み出し、実行する。シリアル通信部１２は、上述した実施形態の伝送制御装置２ａ、２ｂと同様に選択部１４の選択スイッチの状態で、ＤＳＰ３２が読み出す記憶部３１の記憶領域がハード的に変化するように構成している。上述した実施形態と同様に、ＤＳＰ３２は、記憶部３１の所定の記憶領域に記憶している通信プログラムを読み出す。一方、選択部１４の選択スイッチの状態に応じて、ＤＳＰ３２と記憶部３１とを接続しているアドレスバスのバスラインの何本かが０になるようにハード的に構成している。ハード的に０にするアドレスバスのバスラインは選択スイッチの状態毎に異なる。このため、選択部１４の選択スイッチの状態に応じて、実際にＤＳＰ３２が読み出す記憶部３１の記憶領域が変化する。選択部１４においてＴ形伝送方式が選択されている場合にＤＳＰ３２が読み出す記憶部３１の記憶領域には第１の通信プログラムが記憶されており、選択部１４においてＭ形伝送方式が選択されている場合にＤＳＰ３２が読み出す記憶部３１の記憶領域には第２の通信プログラムが記憶されており、選択部１４においてＵ形伝送方式が選択されている場合にＤＳＰ３２が読み出す記憶部３１の記憶領域には第３の通信プログラムが記憶されており、選択部１４においてＵＤ形伝送方式が選択されている場合にＤＳＰ３２が読み出す記憶部３１の記憶領域には第４の通信プログラムが記憶されている。したがって、ＤＳＰ３２は，選択部１４において選択されている端末付加装置３とのデータ通信の伝送方式に応じた通信プログラムを記憶部３１から読み出す。
【００６０】
また、パラレル通信部１１の変換処理部２２は選択部１４で選択されている伝送方式に応じたフォーマット変換プログラムを読み出し、実行する。具体的には、選択部１４において選択されている端末付加装置３との間におけるデータ通信の伝送方式がＴ形伝送方式であれば第１のフォーマット変換プログラムを読み出し、選択部１４において選択されている端末付加装置３との間におけるデータ通信の伝送方式がＭ形伝送方式であれば第２のフォーマット変換プログラムを読み出し、選択部１４において選択されている端末付加装置３との間におけるデータ通信の伝送方式がＵ形伝送方式であれば第３のフォーマット変換プログラムを読み出し、選択部１４において選択されている端末付加装置３との間におけるデータ通信の伝送方式がＵＤ形伝送方式であれば第４のフォーマット変換プログラムを読み出す。また、表示部１５に対して選択されている伝送方式に応じたランプの点灯を指示する。
【００６１】
この実施形態の伝送制御装置２ａにおける上位装置１からの指示データを交通端末４へ送信するときの動作は、図４に示した動作と同じである。伝送制御装置２ａは、パラレルラインで接続されている上位装置１から、専用回線５を介して接続されている端末付加装置３が設置されている管理領域の交通端末４に対する指示データを上位インタフェース２１で受け付けたときにこの処理を実行する。伝送制御装置２ａは、上位装置１からの交通端末４に対する指示データを上位インタフェース２１で受け付ける。上位装置１からの指示データは、パラレルデータであり、またこの指示データは上位装置１との通信方式に基づく所定のフォーマットである。伝送制御装置２ａは、ｓ１で変換処理部２２において起動時に読み出したフォーマット変換プログラムにより上位装置１から送信されてきた交通端末４に対する動作指示にかかるデータのフォーマット変換を行う。変換処理部２２は、選択部１４において選択されている伝送方式に応じたフォーマット変換プログラムを読み出しているので、上位装置１からの交通端末４に対する動作指示にかかる指示データを選択部１４において選択されている伝送方式に応じたフォーマットに変換することができる。選択部１４では、専用回線５を介して接続されている端末付加装置３に応じて伝送方式が選択されている。
【００６２】
伝送制御装置２ａは、ｓ１でフォーマット変換を行うと、フォーマット変換した指示データをｓ２でシリパラ変換部１３においてシリアルデータに変換し、変換したシリアルデータをシリアル通信部１２のＤＳＰ３２に渡す。ＤＳＰ３２は、ｓ３で起動時に読み出している通信プログラムによりシリパラ変換部２３から渡されたシリアルデータを送信する変調信号を生成する変調処理を行う。ＤＳＰ３２は、起動時に選択部１４において選択されている伝送方式に応じた通信プログラムを読み出しているので、選択部１４において選択されている伝送方式に応じた変調信号、すなわち専用回線５を介して接続されている端末付加装置３とのデータ通信に応じた変調信号、を生成することができる。そして、ｓ４でＤＳＰ３２で生成した変調信号を回線インタフェース３３から専用回線５を介して端末付加装置３に送信する。
【００６３】
したがって、端末付加装置３が、Ｔ形伝送方式に対応しているものであれば選択部１４においてＴ形伝送方式を選択することで、この間のデータ通信を適正に行うことができる。同様に、端末付加装置３が、Ｍ形伝送方式に対応しているものであれば選択部１４においてＭ形伝送方式を選択することで、この間のデータ通信を適正に行うことができ、端末付加装置３が、Ｕ形伝送方式に対応しているものであれば選択部１４においてＵ形伝送方式を選択することで、この間のデータ通信を適正に行うことができる。さらに、端末付加装置３が、ＵＤ形伝送方式に対応しているものであれば選択部１４においてＵＤ形伝送方式を選択することで、この間のデータ通信を適正に行うことができる。
【００６４】
また、交通端末４から上位装置１への情報の送信時における伝送制御装置２ａの動作は図５に示した動作と同じである。交通端末４はＬＡＮを介して上位装置１へ送信する監視情報にかかる監視データを端末付加装置３へ送信する。端末付加装置３は、交通端末４から上位装置１へ送信する監視情報にかかる監視データを受信すると、この監視データを本体が対応している通信方式（Ｔ形伝送方式、Ｍ形伝送方式、またはＵ形伝送方式）に応じたフォーマットで専用回線５を介して伝送制御装置２に送信する。
【００６５】
伝送制御装置２は、端末付加装置３から送信されてきた変調信号を回線インタフェース３３を介してＤＳＰ３２に取り込み、ｓ１１でＤＳＰ３２において復調処理を行う。ＤＳＰ３２は、起動時に記憶部３１から読み出している通信プログラムによりｓ１１にかかる復調処理を行う。上述したようにＤＳＰ３２は、起動時に選択部１４において選択されている伝送方式に応じたフォーマット変換プログラムを読み出しているので、選択部１４において選択されている伝送方式に応じた復調処理、すなわち専用回線５を介して接続されている端末付加装置３に応じた復調処理、が行える。ＤＳＰ３２はｓ１２で交通端末４から送信されてきた監視データにかかるシリアルデータを復調信号から抽出し、ここで抽出したシリアルデータをシリパラ変換部１３に渡す。シリパラ変換部１３は、ＤＳＰ３２から渡されたシリアルデータをｓ１３でパラレルデータに変換し、変換処理部２２に渡す。変換処理部２２は、シリパラ変換部１３から渡されたパラレルデータのフォーマットをｓ１４で起動時に読み取っているフォーマット変換プログラムで変換し、ｓ１５で上位インタフェース２１を介して上位装置１へ送信する。上述したように、変換処理部２２は、選択部１４において選択されている伝送方式に応じたフォーマット変換プログラムを読み出しているので、シリパラ変換部１３から渡されたパラレルデータを上位装置１に対する所定のフォーマットのパラレルデータに変換することができる。
【００６６】
このように、この実施形態の伝送制御装置２ａは、端末付加装置３がＴ形伝送方式に対応している場合には、選択部１４においてＴ形伝送方式を選択することで上位装置１と交通端末４との間におけるデータ通信を制御することができ、また、端末付加装置３がＭ形伝送方式に対応している場合には、選択部１４においてＭ形伝送方式を選択することで上位装置１と交通端末４との間におけるデータ通信を制御することができ、また端末付加装置３がＵ形伝送方式に対応している場合には、選択部１４においてＵ形伝送方式を選択することで上位装置１と交通端末４との間におけるデータ通信を制御することができ、さらに端末付加装置３がＵＤ形伝送方式に対応している場合には、選択部１４においてＵＤ形伝送方式を選択することで上位装置１と交通端末４との間におけるデータ通信を制御することができる。したがって、交通端末４の交換により、端末付加装置３との間における専用回線５を介したデータ通信が、Ｔ形伝送方式、Ｍ形伝送方式、Ｕ形伝送方式、ＵＤ形伝送方式の間で変化しても、選択部１４で伝送方式の選択を切り替える操作を行うだけで対応できる。これにより、交通端末４の交換にともなって伝送制御装置２が廃棄されるという事態が生じることがなく、コスト面における無駄を十分に抑えることができる。また、端末付加装置３との間における専用回線５を介したデータ通信をソフトウェアの切り替えで行うので、伝送制御装置本体の大型化も十分に抑えることができる。
【００６７】
さらに、選択部１４において選択されている通信方式を表示部１５で表示する構成としているので、選択部１５において選択されている通信方式を簡単に確認することができ、通信方式の選択ミスを防止することができる。
【００６８】
また、Ｔ形伝送方式、Ｍ形伝送方式、Ｕ形伝送方式、ＵＤ形伝送方式の４種類の伝送方式の中からいずれかの伝送方式を選択することができる２回線対応の伝送制御装置２ｂについては、図６に示した構成で実現できる。この場合も変換処理部２２の記憶部には、上位装置１とのデータ通信におけるフォーマットとＴ形伝送方式におけるフォーマットとの相互変換にかかる第１のフォーマット変換プログラム、上位装置１とのデータ通信におけるフォーマットとＭ形伝送方式におけるフォーマットとの相互変換にかかる第２のフォーマット変換プログラム、上位装置１とのデータ通信におけるフォーマットとＵ形伝送方式におけるフォーマットとの相互変換にかかる第３のフォーマット変換プログラム、および上位装置１とのデータ通信におけるフォーマットとＵＤ形伝送方式におけるフォーマットとの相互変換にかかる第４のフォーマット変換プログラムが記憶される。また、シリアル通信部１２ａ、１２ｂの記憶部３１には、Ｔ形伝送方式に応じた第１の通信プログラム、Ｍ形伝送方式に応じた第２の通信プログラム、Ｕ形伝送方式に応じた第３の通信プログラム、ＵＤ形伝送方式に応じた第４の通信プログラムが記憶される。選択部１４ａ、１４ｂには、例えば４接点式のスライドスイッチが選択スイッチとして設けられており、伝送制御装置２はシリアル通信部１２ａ、１２ｂ毎に対応する選択スイッチ１４ａ、１４ｂの導通している接点に応じて、端末付加装置３とのデータ通信をＴ形伝送方式、Ｍ形伝送方式、Ｕ形伝送方式、およびＵＤ形伝送方式で行う。さらに、表示部１５ａ、１５ｂはシリアル通信部１２ａ、１２ｂ毎に選択部１４ａ、１４ｂにおいて選択されている伝送方式に応じたランプを点灯する。
【００６９】
この２回線対応の伝送制御装置２ｂは、Ｔ形伝送方式、Ｍ形伝送方式、Ｕ形伝送方式、およびＵＤ形伝送方式の４つの伝送方式の中からいずれかの伝送方式が選択できる点で上述した２回線対応の伝送制御装置２ｂと相違しているが、その動作は図７、図８に示した動作と同じである。したがって、上述した２回線対応の伝送制御装置２ｂと同様の効果を奏する。
【００７０】
また、本願発明は、上述した、Ｔ形伝送方式、Ｍ形伝送方式、Ｕ形伝送方式の３種類の伝送方式の中から、いずれかの伝送方式を選択することができる伝送制御装置や、Ｔ形伝送方式、Ｍ形伝送方式、Ｕ形伝送方式、ＵＤ形伝送方式の４種類の伝送方式の中から、いずれかの伝送方式を選択することができる伝送制御装置に限らず、Ｍ形伝送方式、Ｕ形伝送方式、ＵＤ形伝送方式の３種類の伝送方式の中から、いずれかの伝送方式を選択することができる伝送制御装置等、３種類以上の伝送方式の中からいずれかの伝送方式を選択することができる伝送制御装置であれば適用することができる。
【００７１】
また、上記の説明では、シリアル通信部１２の記憶部３１には、Ｔ形伝送方式に応じた第１の通信プログラム、Ｍ形伝送方式に応じた第２の通信プログラム、Ｕ形伝送方式に応じた第３の通信プログラム、およびＵＤ形伝送方式に応じた第４の通信プログラムがそれぞれ記憶されているとしたが、例えば第１の通信プログラムおよび第２の通信プログラムに代えて、Ｔ形伝送方式とＭ形伝送方式とをモード切替で実行できる第５の通信プログラムを記憶部３１に記憶させてもよい。この場合には、Ｔ形伝送方式、またはＭ形伝送方式が選択されたときには、ＤＳＰ３２において、この第５の通信プログラムを記憶部３１から読み出し、Ｔ形伝送方式が選択されていればＴ形伝送方式を実行するモードで記憶部３１から読み出した通信プログラムを実行し、Ｍ形伝送方式が選択されていればＭ形伝送方式を実行するモードで記憶部３１から読み出した通信プログラムを実行させればよい。また、Ｕ形伝送方式に応じた第３の通信プログラムと、ＵＤ形伝送方式に応じた第４の通信プログラムとの共通部分を第６の通信プログラムとし、非共通部分を第７の通信プログラム（Ｕ形伝送方式用の非共通部分の通信プログラム）、および第８の通信プログラム（ＵＤ形伝送方式用の非共通部分の通信プログラム）を、第３の通信プログラムおよび第４の通信プログラムに代えて記憶部３１に記憶させてもよい。この場合には、Ｕ形伝送方式が選択されたときには、ＤＳＰ３２において第６の通信プログラムと第７の通信プログラムとを記憶部３１から読み出して実行し、ＵＤ形伝送方式が選択されたときには、ＤＳＰ３２において第６の通信プログラムと第８の通信プログラムとを記憶部３１から読み出して実行させればよい。
【００７２】
さらに、この発明の別の実施形態にかかる伝送制御装置について説明する。図９は、この別の実施形態の伝送制御装置の構成を示す図である。この実施形態にかかる伝送制御装置２ｃは、１回線対応であり、Ｔ形伝送方式、Ｍ形伝送方式、Ｕ形伝送方式の中からいずれかの伝送方式を選択することができる。この実施形態の伝送制御装置２ｃは、上位装置１とのデータ通信を実行するパラレル通信部１１と、専用線５を介して接続されている端末付加装置３とのデータ通信を実行するシリアル通信部１２と、パラレル通信部１１とシリアル通信部１２との間で受け渡すデータに対するシリアルパラレル変換を実行するシリパラ変換部１３と、シリアル通信部１２における端末付加装置３とのデータ通信の方式（シリアル伝送方式）を選択する選択部１４と、シリアル通信部１２に対して選択されている端末付加装置３との通信方式を表示する表示部１５と、を備えている。パラレル通信部１１、シリパラ変換部１３、選択部１４、および表示部１５は、図３に示した伝送制御装置２ａと同じ構成である。
【００７３】
シリアル通信部１２は、第１のシリアル通信部４１（この発明で言う一方のシリアル通信部）と第２のシリアル通信部４２（この発明で言う他方のシリアル通信部）を有するとともに、第１のシリアル通信部４１、または第２のシリアル通信部４２の一方を専用線５を介して端末付加装置３に接続する切り替えを行う切替部４３を備えている。第１のシリアル通信部４１は、Ｔ形伝送方式に応じた第１の通信プログラム、Ｍ形伝送方式に応じた第２の通信プログラムを記憶した記憶部５１と、選択部１４においてＴ形伝送方式またはＭ形伝送方式が選択されているときに、選択されている通信方式に応じた通信プログラムを記憶部５１から読み出して実行するＤＳＰ５２と、端末付加装置３との接続を制御する回線インタフェース５３と、を有している。この第１のシリアル通信部４１は、従来のＴ／Ｍ形対応の伝送制御装置と同等の構成である。ＤＳＰ３２は、端末付加装置３との通信にかかる変調処理、および復調処理を行う。第１のシリアル通信部４１は、上述した実施形態の伝送制御装置２ａ、２ｃと同様に、選択部１４の選択スイッチの状態で、ＤＳＰ５２が読み出す記憶部５１の記憶領域がハード的に変化するように構成している。但し、ＤＳＰ５２は、選択部１４においてＴ形伝送方式が選択されている場合に第１の通信プログラムを読み出し、Ｍ形伝送方式が選択されている場合に第２の通信プログラムを読み出すが、Ｕ形伝送方式が選択されている場合には記憶部５１から通信プログラムを読み出さない。また、Ｕ形伝送方式が選択されている場合には、第１のシリアル通信部４１はその動作を停止する。第２のシリアル通信部４２は、Ｕ形伝送方式によるデータ通信にかかる変調処理、および復調処理を行う変復調処理部６１と、端末付加装置３との接続を制御する回線インタフェース６２と、を有している。変復調処理部６１には、Ｕ形伝送方式に応じた第３の通信プログラムを記録した記憶部が設けられている。この第２のシリアル通信部４２は、従来のＵ形対応の伝送制御装置と同等の構成である。変復調処理部６１は、選択部１４においてＵ形伝送方式が選択されている場合に第３の通信プログラムを実行し、Ｔ形伝送方式、またはＭ形伝送方式が選択されている場合にその動作を停止する。切替部４３は、選択部１５においてＴ形伝送方式またはＭ形伝送方式が選択されている場合に、第１のシリアル通信部４１の回線インタフェース５３を専用線５に接続し、第２シリアル通信部４２の回線インタフェース６２を専用線５から切断する。また、切替部４３は、選択部１５においてＵ形伝送方式が選択されている場合に、第１のシリアル通信部４１の回線インタフェース５３を専用線５から切断し、第２シリアル通信部４２の回線インタフェース６２を専用線５に接続する。
【００７４】
次に、この実施形態の伝送制御装置２ｃにおける上位装置１からの指示データを交通端末４へ送信するときの動作について説明する。図１０は、この動作を示すフローチャートである。伝送制御装置２ｃは、パラレルラインで接続されている上位装置１から、専用回線５を介して接続されている端末付加装置３が設置されている管理領域の交通端末４に対する指示データを上位インタフェース２１で受け付けたときにこの処理を実行する。伝送制御装置２ｃは、上位装置１からの交通端末４に対する指示データを上位インタフェース２１で受け付ける。上位装置１からの指示データは、パラレルデータであり、またこの指示データは上位装置１との通信方式に基づく所定のフォーマットである。伝送制御装置２ａは、変換処理部２２において起動時に読み出したフォーマット変換プログラムにより上位装置１から送信されてきた交通端末４に対する動作指示にかかるデータのフォーマット変換を行う（ｓ４１）。変換処理部２２は、上述した実施形態と同様に、選択部１４において選択されている通信方式に応じたフォーマット変換プログラムを読み出しており、上位装置１からの交通端末４に対する動作指示にかかる指示データを選択部１４において選択されている伝送方式に応じたフォーマットに変換することができる。選択部１４では、専用回線５を介して接続されている端末付加装置３に応じた伝送方式が選択されている。
【００７５】
伝送制御装置２ｃは、ｓ４１でフォーマット変換を行うと、フォーマット変換した指示データをシリパラ変換部１３においてシリアルデータに変換する（ｓ４２）。また、シリパラ変換部１３は、選択部１５においてＴ形伝送方式またはＭ形伝送方式が選択されている場合、変換したシリアルデータを第１のシリアル通信部４１のＤＳＰ５２に入力し（ｓ４３、ｓ４４）、Ｕ形伝送方式が選択されている場合、第２のシリアル通信部４２の変復調処理部６１に入力する（ｓ４３、ｓ４７）。
【００７６】
ここで、選択部１５において、Ｔ形伝送方式またはＭ形伝送方式が選択されている場合と、Ｕ形伝送方式が選択されている場合とに分けて動作を説明する。まず、Ｔ形伝送方式またはＭ形伝送方式が選択されている場合について説明する。上述したように、Ｔ形伝送方式またはＭ形伝送方式が選択されている場合、ＤＳＰ５２は選択されている伝送方式（Ｔ形伝送方式またはＭ形伝送方式）に応じた通信プログラムを起動時に記憶部５１から読み出し、動作している。このとき、変復調処理部６１は動作していない。ＤＳＰ５２は、起動時に読み出している通信プログラムによりシリパラ変換部１３から入力されたシリアルデータを送信する変調信号を生成する変調処理を行う（ｓ４５）。上述したようにＤＳＰ３２は、起動時に選択部１４において選択されている伝送方式（Ｔ形伝送方式またはＭ形伝送方式）に応じた通信プログラムを読み出しているので、選択部１４において選択されている伝送方式に応じた変調信号、すなわち専用回線５を介して接続されている端末付加装置３とのデータ通信の伝送方式に応じた変調信号、を生成することができる。また、切替部４３は、第１のシリアル通信部４１の回線インタフェース５３を専用線５に接続し、第２シリアル通信部４２の回線インタフェース６２を専用線５から切断している。伝送制御装置２ｃは、ＤＳＰ５２が生成した変調信号を、第１のシリアル通信部４１の回線インタフェース５３、切替部４３、専用回線５を介して端末付加装置３に送信する（ｓ４６）。
【００７７】
したがって、端末付加装置３が、Ｔ形伝送方式に対応しているものであれば選択部１４においてＴ形伝送方式を選択することで、この間のデータ通信を適正に行うことができる。同様に、端末付加装置３が、Ｍ形伝送方式に対応しているものであれば選択部１４においてＭ形伝送方式を選択することで、この間のデータ通信を適正に行うことができる。また、選択部１４においてＴ形伝送方式またはＭ形伝送方式が選択されているとき、第２のシリアル通信部４２はその動作を停止しているので、消費電力の無駄も生じない。
【００７８】
また、選択部１４においてＵ形伝送方式が選択されている場合、ＤＳＰ５２はその動作を停止しているが、変復調処理部６１が動作している。変復調処理部６１は、シリパラ変換部１３から入力されたシリアルデータを送信する変調信号を生成する変調処理を行う（ｓ４７）。変復調処理部６１はＵ形伝送方式によるデータ通信にかかる変調処理、および復調処理を行う。選択部１４において選択されているＵ形伝送方式に応じた変調信号、すなわち専用回線５を介して接続されている端末付加装置３とのデータ通信に応じた変調信号、を生成することができる。また、切替部４３は、第１のシリアル通信部４１の回線インタフェース５３を専用線５から切断し、第２シリアル通信部４２の回線インタフェース６２を専用線５に接続している。伝送制御装置２ｃは、変復調処理部６１が生成した変調信号を、第２のシリアル通信部４２の回線インタフェース６２、切替部４３、専用回線５を介して端末付加装置３に送信する（ｓ４８）。
【００７９】
したがって、端末付加装置３が、Ｕ形伝送方式に対応しているものであれば選択部１４においてＵ形伝送方式を選択することで、この間のデータ通信を適正に行うことができる。また、選択部１４においてＵ形伝送方式が選択されているとき、第１のシリアル通信部４１はその動作を停止しているので、消費電力の無駄も生じない。
【００８０】
次に、交通端末４から上位装置１への情報の送信時における伝送制御装置２ｃの動作について説明する。図１１は、交通端末から上位装置への監視データの送信時における伝送制御装置の動作を示すフローチャートである。交通端末４はＬＡＮを介して上位装置１へ送信する監視情報にかかる監視データを端末付加装置３へ送信する。端末付加装置３は、交通端末４から上位装置１へ送信する監視情報にかかる監視データを受信すると、この監視データを本体が対応している通信方式（Ｔ形伝送方式、Ｍ形伝送方式、またはＵ形伝送方式）に応じたフォーマットで専用回線５を介して伝送制御装置２に送信する。
【００８１】
伝送制御装置２は、端末付加装置３から送信されてきた変調信号を切替部４３で受信する。切替部４３は、選択部１５においてＴ形伝送方式またはＭ形伝送方式が選択されている場合に、第１のシリアル通信部４１の回線インタフェース５３を専用線５に接続し、第２シリアル通信部４２の回線インタフェース６２を専用線５から切断している。また、選択部１５においてＵ形伝送方式が選択されている場合に、第１のシリアル通信部４１の回線インタフェース５３を専用線５から切断し、第２シリアル通信部４２の回線インタフェース６２を専用線５に接続している。したがって、選択部１４においてＴ形伝送方式またはＭ形伝送方式が選択されている場合、端末付加装置３から送信されてきた変調信号は第１のシリアル通信部４１の回線インタフェース５３を介してＤＳＰ５２に入力される。また、選択部１４においてＵ形伝送方式が選択されている場合、端末付加装置３から送信されてきた変調信号は第２のシリアル通信部４２の回線インタフェース６２を介して変復調処理部６１に入力される。
【００８２】
まず、選択部１５においてＴ形伝送方式またはＭ形伝送方式が選択されている場合について説明する。ＤＳＰ５２は、回線インタフェース５３を介して入力された変調信号の復調処理を行う（ｓ５０、ｓ５１）。ＤＳＰ５２は、起動時に記憶部３１から読み出している通信プログラムによりｓ５１にかかる復調処理を行う。上述したようにＤＳＰ５２は、起動時に選択部１４において選択されている伝送方式に応じた通信プログラムを読み出しているので、選択部１４において選択されている伝送方式に応じた復調処理、すなわち専用回線５を介して接続されている端末付加装置３に応じた復調処理、が行える。ＤＳＰ５２は交通端末４から送信されてきた監視データにかかるシリアルデータを復調信号から抽出し（ｓ５２）、ここで抽出したシリアルデータをシリパラ変換部１３に渡す。シリパラ変換部１３は、ＤＳＰ５２から渡されたシリアルデータをパラレルデータに変換し（ｓ５３）、変換処理部２２に渡す。変換処理部２２は、シリパラ変換部１３から渡されたパラレルデータのフォーマットを起動時に読み取っているフォーマット変換プログラムで変換し（ｓ５４）、上位インタフェース２１を介して上位装置１へ送信する（ｓ５５）。上述したように、変換処理部２２は、選択部１４において選択されている通信方式に応じたフォーマット変換プログラムを読み出しているので、シリパラ変換部１３から渡されたパラレルデータを上位装置１に対する所定のフォーマットのパラレルデータに変換することができる。
【００８３】
このように、この実施形態の伝送制御装置２ｃは、端末付加装置３がＴ形伝送方式に対応してる場合には、選択部１４においてＴ形伝送方式を選択することで上位装置１と交通端末４との間におけるデータ通信を制御することができ、また、端末付加装置３がＭ形伝送方式に対応してる場合には、選択部１４においてＭ形伝送方式を選択することで上位装置１と交通端末４との間におけるデータ通信を制御することができる。
【００８４】
次に、選択部１５においてＵ形伝送方式が選択されている場合について説明する。変復調処理部６１は、回線インタフェース６２を介して入力された変調信号の復調処理を行う（ｓ５０、ｓ５６）。変復調処理部６１は、Ｕ型伝送方式に応じた通信プログラムによりｓ５６にかかる復調処理を行う。言い換えれば、選択部１４において選択されているＵ形伝送方式に応じた復調処理、すなわち専用回線５を介して接続されている端末付加装置３に応じた復調処理、が行える。変復調処理部６１は交通端末４から送信されてきた監視データにかかるシリアルデータを復調信号から抽出し（ｓ５７）、ここで抽出したシリアルデータをシリパラ変換部１３に渡す。シリパラ変換部１３は、変復調処理部６１から渡されたシリアルデータをパラレルデータに変換し（ｓ５８）、変換処理部２２に渡す。変換処理部２２は、シリパラ変換部１３から渡されたパラレルデータのフォーマットを起動時に読み取っているフォーマット変換プログラムで変換し（ｓ５９）、上位インタフェース２１を介して上位装置１へ送信する（ｓ６０）。上述したように、変換処理部２２は、選択部１４において選択されている通信方式に応じたフォーマット変換プログラムを読み出しているので、シリパラ変換部１３から渡されたパラレルデータを上位装置１に対する所定のフォーマットのパラレルデータに変換することができる。
【００８５】
したがって、端末付加装置３がＵ形伝送方式に対応している場合には、選択部１４においてＵ形伝送方式を選択することで上位装置１と交通端末４との間におけるデータ通信を制御することができる。これにより、交通端末４の交換により、端末付加装置３との間における専用回線５を介したデータ通信が、Ｔ形伝送方式、Ｍ形伝送方式、Ｕ形伝送方式の間で変化しても、選択部１４で通信方式の選択を切り替える操作を行うだけで対応できる。また、交通端末４の交換にともなって伝送制御装置２が廃棄されるという事態が生じることがなく、コスト面における無駄を十分に抑えることができる。
【図面の簡単な説明】
【００８６】
【図１】交通管制システムの概要を説明する図である。
【図２】交通管制システムの概要を説明する図である。
【図３】この発明の実施形態である１回線対応の伝送制御装置の構成を示す図である。
【図４】この発明の実施形態である１回線対応の伝送制御装置における動作を示すフローチャートである。
【図５】この発明の実施形態である１回線対応の伝送制御装置における動作を示すフローチャートである。
【図６】この発明の実施形態である２回線対応の伝送制御装置の構成を示す図である。
【図７】この発明の実施形態である２回線対応の伝送制御装置における動作を示すフローチャートである。
【図８】この発明の実施形態である２回線対応の伝送制御装置における動作を示すフローチャートである。
【図９】この発明の別の実施形態である伝送制御装置の構成を示す図である。
【図１０】この発明の別の実施形態である伝送制御装置における動作を示すフローチャートである。
【図１１】この発明の別の実施形態である伝送制御装置における動作を示すフローチャートである。
【符号の説明】
【００８７】
１−上位装置
２ａ、２ｂ−伝送制御装置
３−端末付加装置
４−交通端末
５−専用回線
１１−パラレル通信部
１２、１２ａ、１２ｂ−シリアル通信部
１３−シリパラ変換部
１４、１４ａ、１４ｂ−選択部
１５、１５ａ、１５ｂ−表示部
２１−上位インタフェース
２２−変換処理部
３１、５１−記憶部
３２、５２−ＤＳＰ
３３、５３、６２−回線インタフェース
４１−第１のシリアル通信部
４２−第２のシリアル通信部
４３−切替部
６１−変復調処理部
【図１】
2006155504.tif 000003
【図２】
2006155504.tif 000004
【図３】
2006155504.tif 000005
【図４】
2006155504.tif 000006
【図５】
2006155504.tif 000007
【図６】
2006155504.tif 000008
【図７】
2006155504.tif 000009
【図８】
2006155504.tif 000010
【図９】
2006155504.tif 000011
【図１０】
2006155504.tif 000012
【図１１】
2006155504.tif 000013